(57)【要約】【課題】ＩＰ電話機を専用の電話制御装置以外の電話制御装置に接続しても動作可能にし、ＩＰ回線の使用状況をＩＰ電話機に識別可能に表示させる。【解決手段】ＩＰ電話装置（ＩＰ電話機）３に着信キーと、着信キーに対応して設けられた着信ランプと、着信キーに対応して電話番号が設定される記憶部と、制御部とを設け、着信時に電話制御装置からのINVITEメッセージを受信すると、制御部は、記憶部の電話番号の中にこの受信メッセージに含まれる着番号と一致するものがあるか否かを判断し、一致する場合はその電話番号に対応して記憶部に設定されている着信キーに対応する着信ランプを着信表示し、一致しない場合は内線ランプを着信表示する。【選択図】  図５
2006333307.tif 000002
【特許請求の範囲】
【請求項１】
ＩＰ網に接続されるＩＰ回線を収容し、かつSIPプロトコルを有する電話制御装置に接続されるＩＰ電話装置であって、
キーと、
前記キーに対応して設けられ着信の種別を識別するランプと、
前記キーに対応してこのキーを識別する識別情報を記憶する記憶部と、
前記電話制御装置からの情報と前記記憶部の識別情報とに基づいて対応のランプの表示を制御する制御部と
を備えることを特徴とするＩＰ電話装置。
【請求項２】
請求項１において、
前記記憶部には前記識別情報として電話番号が記憶され、
前記電話制御装置は、ＩＰ回線からの着信を検出すると前記SIPプロトコルで規定されるINVITEメッセージを前記ＩＰ電話装置へ送信し、
前記制御部は、
前記INVITEメッセージに含まれる着番号と、前記記憶部の電話番号との一致を比較する比較手段と、
前記比較手段の一致出力に応じて対応のランプを着信表示する表示制御手段と
を備えることを特徴とするＩＰ電話装置。
【請求項３】
請求項２において、
内線ランプを備え、
前記表示制御手段は、前記比較手段の不一致出力に応じて前記内線ランプを着信表示することを特徴とするＩＰ電話装置。
【請求項４】
請求項２において、
前記制御部は、
着信表示中のランプに対応するキーが操作されると、前記着番号を含む着信応答要求を生成する着信応答要求生成手段と、
前記着信応答要求生成手段により生成された前記着信応答要求を含むメッセージを前記電話制御装置へ送信する着信応答要求送信手段とを備え、
前記表示制御手段は、前記着信応答要求送信手段の送信に対して、前記電話制御装置から返送される前記着番号とランプ自己使用表示指令情報とを含む前記SIPプロトコルの通知コマンドを受信すると、前記通知コマンドに含まれている前記着番号に応じたランプの自己使用表示を行うことを特徴とするＩＰ電話装置。
【発明の詳細な説明】
【技術分野】
【０００１】
本発明は、ＩＰネットワークに接続されるＩＰ回線を収容したＩＰ電話装置に関する。
【背景技術】
【０００２】
ＩＰ回線に収容されるこの種のＩＰ電話装置として、回線の使用状況を適切に表示できるようにした電話装置がある（例えば、特許文献１）。
【０００３】
この電話装置は、電話制御装置１と複数の電話機２とからなり、各電話機２に、回線毎に割り当てられた表示器６４Ａ〜６４Ｆを備え、電話制御装置１がＩＰ回線及び電話回線の使用状況を検出して、各電話機２にその使用状況に応じた表示データを送信し、各電話機２の表示器６４Ａ〜６４Ｆに、各回線の使用状況を識別可能に表示させるものである。
【０００４】
【特許文献１】特開２００４−９６４６５号公報
【発明の開示】
【発明が解決しようとする課題】
【０００５】
しかしながら、前述した電話装置は、各電話機２の表示器６４Ａ〜６４Ｆに、各回線の使用状況を識別可能に表示させる場合、電話制御装置１と電話機２との間に専用の伝送インタフェースを設け、この伝送インタフェースを介してデータ伝送を行うことにより実現するようにしている。このため、電話機２を、専用の電話制御装置１以外の他の電話制御装置に接続しても動作させることができないという問題があった。
【０００６】
したがって、本発明は、ＩＰ電話機などのＩＰ電話装置を専用の電話制御装置以外の電話制御装置に接続しても動作可能にしてＩＰ回線の使用状況をＩＰ電話装置に識別可能に表示させることを目的とする。
【課題を解決するための手段】
【０００７】
このような課題を解決するために本発明は、ＩＰネットワーク（ＩＰ網）に接続されるＩＰ回線を収容し、かつSIP（Session Initiation Protocol）プロトコルを有する電話制御装置に接続されるＩＰ電話装置であって、キーと、キーに対応して設けられ着信の種別を識別するためのランプと、キーに対応してこのキーを識別する識別情報を記憶する記憶部と、電話制御装置からの情報と記憶部の識別情報とに基づいて対応のランプの表示を制御する制御部とを備えるものである。
【０００８】
この場合、記憶部には前記識別情報として電話番号が記憶され、電話制御装置は、ＩＰ回線からの着信を検出するとSIPプロトコルで規定されるINVITEメッセージをＩＰ電話装置へ送信し、ＩＰ電話装置の制御部は、INVITEメッセージに含まれる着番号と、記憶部の電話番号との一致を比較する比較手段と、比較手段の一致出力に応じて対応のランプを着信表示する表示制御手段とを備えるものである。
ここで、ＩＰ電話装置に内線ランプを備え、表示制御手段は、比較手段の不一致出力に応じて内線ランプを着信表示することを特徴とするＩＰ電話装置。
【０００９】
また、制御部は、着信表示中のランプに対応するキーが操作されると、着番号を含む着信応答要求を生成する着信応答要求生成手段と、着信応答要求生成手段により生成された着信応答要求を含む２００ＯＫメッセージを電話制御装置へ送信する着信応答要求送信手段とを備え、表示制御手段は、着信応答要求送信手段の送信に対して、電話制御装置から返送される着番号とランプ自己使用表示指令情報とを含む前記SIPプロトコルの通知コマンドを受信すると、通知コマンドに含まれている着番号に応じたランプの自己使用表示を行うものである。
【発明の効果】
【００１０】
本発明によれば、着信時には電話制御装置はＩＰ電話装置に対してINVITEメッセージを送信するだけで、ＩＰ電話装置で自動的に判別して該当のランプを着信表示することができる。これにより、ＩＰ電話装置はSIPプロトコルを有する電話制御装置であればどのような電話制御装置に接続されても動作して、ＩＰ回線の使用状況を識別可能に表示することができ、その結果、従来、電話制御装置とＩＰ電話機との間に設けられていた専用のデータ伝送インタフェースを省略できる。
【発明を実施するための最良の形態】
【００１１】
以下、本発明について図面を参照して説明する。
図１は本発明のＩＰ電話装置を適用したシステムの構成を示すブロック図である。本システムは、図１に示すように、ＩＰ回線を介してＩＰ網１に接続される電話制御装置２と、電話制御装置２に接続されるＩＰ電話装置３とからなる。ここで、前記ＩＰ回線は、論理チャネルと呼ばれる見掛け上の回線（論理回線）である。
【００１２】
前記ＩＰ電話装置３は、図２に示すように、このＩＰ電話装置３の全体を制御する制御部３１と、制御部３１が実行するプログラム３２が格納されているとともに、このＩＰ電話装置３の個別設定情報３２Ｂが格納される記憶部３２と、電話制御装置２との間で通信を行う通信Ｉ／Ｆ部３３と、音声パケットなどの音声の入出力処理を行う音声処理部３４と、ＬＣＤ表示器や着信ランプなどを含む表示部３５と、着信キーやダイヤルキーなどを含む操作部３６とから構成される。なお、制御部３１には、電話制御装置２から送信されるメッセージを解析するメッセージ解析部３１が設けられている。
【００１３】
図３は、ＩＰ電話装置３の正面の外観を示す図である。ＩＰ電話装置３には、操作部３６として、図中の「１」〜「９」，「０」，「＊」，「＃」などで示されるダイヤルキーや、符号３６Ａで示されるようなキーなどが設けられている。また、ＩＰ電話装置３には、表示部３５として、符号３５Ａで示される液晶表示器や、キー３６Ａに対応して設けられている符号３５Ｂで示されるランプ、並びに符号３５Ｃで示される内線ランプなどが設けられている。
【００１４】
図４は、このＩＰ電話装置３の記憶部３２に設定される個別設定情報３２Ｂの設定状況の一例を示す図である。本ＩＰ電話装置３では、ダイヤルキーを除く各キーを、着信キーやワンタッチダイヤルキー或いはパーク保留キー等の各キーに自由に割り付けできるようになっている。ここで、キーＬＫ１〜ＬＫ３は、後述するように着信の種別を識別するために割り当てられたキーであって、図４の例では、値“２０”が設定され、以下このキーを着信キー（図３のキー３６Ａに相当）と称する。また、この着信キーに対応して設けられているランプを以下着信ランプ（図３のランプ３６Ｂに相当）と称する。さらに、このＩＰ電話装置３では、キーＬＫ１〜ＬＫ３以外の他のキーＬＫを、回線を選択するためのキーとして別途割り当てることができ、こうしたキーに対応して同様に値“２０”が設定される。なお、図４の例では、キーＬＫ４はワンタッチダイヤルキーであることを示す値“１０”に設定され、キーＬＫ５はパーク保留キーであることを示す値“３０”に設定されている。
【００１５】
また、このＩＰ電話装置３の記憶部３２に設定される個別設定情報３２Ｂの中には、ＩＰ電話装置３側で着信種別を判定するための着信種別判定情報として、後述の“Called Header Type＝１”が設定されている。さらに、個別設定情報３２Ｂとして、各着信キーＬＫ１，ＬＫ２，ＬＫ３に対応して、それぞれ“５１００”，“５２００”，“０３ＸＸＸＸＹＹＹＹ”などのような、着信の種別を識別するための電話番号がパラメータとして設定されている。
【００１６】
ここで、着信時に着番号として電話番号“０３ＸＸＸＸＹＹＹＹ”が受信された場合は、この着信はＩＰ網１側からの着信であると識別され、この場合は、その電話番号に該当する着信キーに対応して設けられている着信ランプが後述するように着信表示される。また、着信時に着番号として電話番号“５１００”又は“５２００”が受信された場合は、この着信は、電話制御装置２に収容されている他のＩＰ電話装置側からの着信であると識別され、この場合も同様にその電話番号に該当する着信キーに対応して設けられている着信ランプが後述するように着信表示される。このように、着信時にどの着信ランプが着信表示しているかにより利用者はその着信がＩＰ網１側からの着信か、或いは電話制御装置２に収容されている他のＩＰ電話装置側からの着信かの着信の種別を識別することができる。
【００１７】
また、この場合、例えば電話番号“５１００”を個別着信用として設定し、電話番号“５２００”を一斉着信用として設定することにより、その着信が同様に個別着信か、或いは一斉着信かの着信の種別を識別できる。すなわち、或るＩＰ電話装置に電話番号“５１００”を設定することにより、そのＩＰ電話装置で着信時に着番号として電話番号“５１００”が受信された場合は、そのＩＰ電話装置のみ、その電話番号“５１００”に該当する着信キーに対応して設けられている着信ランプが着信表示される。また、電話制御装置２に収容されている全てのＩＰ電話装置が電話番号“５２００”を設定しておけば、着信時の着番号が“５２００”である場合には全てのＩＰ電話装置においてその番号“５２００”に該当する着信キーに対応して設けられている着信ランプが着信表示される。
【００１８】
ところで、図示しない電話機において発呼が行われ、その発呼番号がＩＰ網１に伝達されると、その発呼番号が電話制御装置２に収容されるＩＰ電話装置の電話番号である場合は、ＩＰ網１から電話制御装置２に着信が報知される。
【００１９】
電話制御装置２は、SIP（Session Initiation Protocol）プロトコルを有しており、ＩＰ網１側から着信が報知された場合、ＩＰ電話装置３に対し前記SIPプロトコルで規定されるINVITE（セッション参加リクエスト）メッセージを送信する。
【００２０】
このINVITEメッセージには着信種別情報Ａ１や着番号Ａ２などが含まれている。ここで、着信種別情報Ａ１のタイプ情報として、“１”、“２”、“３”の３つのタイプを含む各タイプが指定可能になっており、このうち、タイプ“１”は着信先識別情報であることを示す“P-Called-Party-ID”を表し、前述の“Called Header Type＝１”に相当する。また、タイプ“２”は着信音の種別情報を示す“Alert info”を表し、タイプ“３”は着信先の指定情報を示す“to”を表している。
【００２１】
ＩＰ電話装置２では、INVITEメッセージを受信した場合、自身宛に着信が到来したことを識別する。そして、受信したINVITEメッセージが制御部３１内のメッセージ解析部３１Ａにより解析される。この場合、メッセージ解析部３１Ａは、記憶部３２に個別設定情報３２Ｂとして設定されている着信種別判定情報が受信INVITEメッセージ内にあるか否かを判断し、着信種別判定情報が、受信INVITEメッセージ内にある場合は、さらに記憶部３２に個別設定情報３２Ｂとして設定されている電話番号等のパラメータが受信INVITEメッセージ内にあるか否かを判断する。そして、個別設定情報３２Ｂとして設定されている電話番号が着番号Ａ２として受信INVITEメッセージ内に存在している場合は、さらにその電話番号に対応して着信キーが個別設定情報３２Ｂとして設定されているか否かを判断する。
【００２２】
そして、着信キーが設定されている場合はその着信キーに対応する着信ランプ３５Ｂを着信表示し、上記以外の場合、即ち、記憶部３２に設定されている着信種別判定情報が受信INVITEメッセージ内に存在しない場合や、前記着信種別判定情報が受信INVITEメッセージ内に存在していても記憶部３２に設定されている電話番号等のパラメータが受信INVITEメッセージ内に存在しない場合、及び、電話番号等のパラメータが受信INVITEメッセージ内に存在していてもその電話番号に対応する着信キーが記憶部３２に設定されていない場合は、内線ランプを着信表示する。
【００２３】
（着信時における第１の表示動作）
図５は、本発明の要部動作を示すフローチャートであり、ＩＰ電話装置３の制御部３１における着信時の第１の表示動作を示すものである。このフローチャートを参照して本発明の要部動作について詳細に説明する。
【００２４】
図示しない電話機において発呼が行われ、その発呼番号が電話制御装置２に収容されるＩＰ電話装置の電話番号である場合は、前述したようにＩＰ網１から電話制御装置２に着信が報知され、この場合、電話制御装置２はＩＰ電話装置に対しINVITEメッセージを送信する。ＩＰ電話装置３の制御部３１は、このINVITEメッセージを通信Ｉ／Ｆ部３３を介して受信すると（ステップＳ１のＹＥＳ）、着信と判定しメッセージ解析部３１Ａにこの受信したINVITEメッセージを解析させる。
【００２５】
この場合、メッセージ解析部３１Ａは、記憶部３２に個別設定情報３２Ｂとして設定されている着信種別判定情報が受信INVITEメッセージ内にあるか否かを判断する（ステップＳ３）。そして、その着信種別判定情報が、受信INVITEメッセージ内にあると判断した場合（ステップＳ３でＹＥＳ）は、さらに、記憶部３２に個別設定情報３２Ｂとして設定されている電話番号等のパラメータがあるか否かを判断する（ステップＳ４）。
【００２６】
ここで、記憶部３２に設定されている電話番号が受信INVITEメッセージ内に着番号Ａ２として存在していると判断した場合（ステップＳ４でＹＥＳ）は、その電話番号に対応する着信キーが記憶部３２に個別設定情報３２Ｂとして設定されているか否かを判断する（ステップＳ５）。
【００２７】
そして、記憶部３２に、受信INVITEメッセージ内の着番号に対応する着信キーが設定されているとメッセージ解析部３１Ａが判断した場合は、制御部３１はその着信キー３６Ａに対応する着信ランプ３５Ｂを着信表示する（ステップＳ６）。なお、メッセージ解析部３１Ａが、記憶部３２に設定されている着信種別判定情報が受信INVITEメッセージ内に存在しないと判断した場合（ステップＳ３でＮＯ）、及び、記憶部３２の着信種別判定情報が受信INVITEメッセージ内に存在していても記憶部３２に設定されている電話番号等のパラメータが受信INVITEメッセージ内に存在しないと判断した場合（ステップＳ４でＮＯ）、並びに、記憶部３２に設定されている電話番号等のパラメータが受信INVITEメッセージ内に存在していてもその電話番号に対応する着信キーが記憶部３２に設定されていないと判断した場合（ステップＳ５でＮＯ）は、制御部３１は内線ランプ３５Ｃを着信表示する（ステップＳ７）。なお、このような着信時の動作は、電話制御装置２に接続されている他のＩＰ電話装置においても同様に行われる。
【００２８】
このように、着信時には電話制御装置２はＩＰ電話装置３に対して、SIPプロトコルで規定されるINVITEメッセージを送信するだけで、ＩＰ電話装置３側で自動的に判別して該当のランプを着信表示することができる。これにより、ＩＰ電話装置３はSIPプロトコルを有する電話制御装置２であればどのような電話制御装置に接続されても動作して、ＩＰ回線の着信などの使用状況を識別可能に表示することができ、その結果、従来、電話制御装置とＩＰ電話機との間に設けられていた専用のデータ伝送インタフェースを不要にすることができる。
【００２９】
（着信時における第２の表示動作）
図６は、本発明の要部動作を示すフローチャートであり、ＩＰ電話装置３の制御部３１における着信時の第２の表示動作を示すものである。このフローチャートを参照して本発明の要部動作について詳細に説明する。
【００３０】
図示しない電話機において発呼が行われ、その発呼番号が電話制御装置２に収容されるＩＰ電話装置の電話番号である場合は、前述したようにＩＰ網１から電話制御装置２に着信が報知され、この場合、電話制御装置２はＩＰ電話装置に対しINVITEメッセージを送信する。ＩＰ電話装置３の制御部３１は、このINVITEメッセージを通信Ｉ／Ｆ部３３を介して受信すると（ステップＳ１１のＹＥＳ）、着信と判定しメッセージ解析部３１Ａにこの受信したINVITEメッセージを解析させる。
【００３１】
メッセージ解析部３１Ａは、受信したINVITEメッセージに含まれる着信種別情報Ａ１のタイプを判定する（ステップＳ１２）。ここで、その着信種別情報Ａ１のタイプが記憶部３２に個別設定情報３２Ｂとして設定されている着信種別判定情報と一致したと判定した場合（ステップＳ１３でＹＥＳの場合）は、さらに、着信キー識別処理を行い（ステップＳ１４）、記憶部３２の個別設定情報３２Ｂとして、着信キーが設定されているか否かを判断する（ステップＳ１５）。
【００３２】
そして、着信キーが設定されている場合（ステップＳ１５でＹＥＳの場合）は、その着信キーに対応してパラメータとして設定されている電話番号がINVITEメッセージに含まれている着番号Ａ２と一致するか否かを判断する（ステップＳ１６）。ここで、両者が一致する場合（ステップＳ１６でＹＥＳの場合）は、制御部３１はその着信キーに対応する着信ランプ３５Ｂを着信表示する（ステップＳ１７）。なお、記憶部３２の個別設定情報３２Ｂとして、着信キーが設定されていない場合（ステップＳ１５でＮＯの場合）、及び、着信キーが設定されていてもその着信キーに対応して設定されている電話番号がINVITEメッセージの着番号Ａ２と一致しない場合（ステップＳ１６でＮＯの場合）は、制御部３１は内線着信であると判定して内線ランプ３５Ｃを着信表示する（ステップＳ１８）。
【００３３】
また、個別設定情報３２Ｂとして設定されている着信種別判定情報のタイプが受信INVITEメッセージに含まれる着信種別情報Ａ１のタイプと一致しない場合（ステップＳ１３でＮＯの場合）は、制御部３１はその他の着信処理を行う（ステップＳ１９）。なお、このような着信時の動作は、電話制御装置２に接続されている他のＩＰ電話装置においても同様に行われる。
【００３４】
（着信応答時の表示動作）
次に、ＩＰ電話装置３の着信応答時における着信ランプの第１の表示動作について説明する。
着信ランプ３５Ｂが着信表示しているときに、このＩＰ電話装置３の対応する着信キー３６Ａが押下され、これが制御部３１により検出されると、制御部３１は着信への応答と判断して押下された着信キー３６Ａに対応する電話番号（前述の着番号）を含む着信応答要求を生成し、その着信応答要求を含む２００ＯＫメッセージを通信Ｉ／Ｆ部３３を介して電話制御装置２へ送信する。
【００３５】
この着信応答要求が電話制御装置２で受け付けられた場合、電話制御装置２は当該ＩＰ電話装置３に対しては、その着信中の着信ランプを自己使用表示（マイライン表示）にする旨の情報（即ち、着信ランプ自己使用表示指令情報）と当該ＩＰ電話装置３から着信応答要求に含めて送信された前記着番号とを含む情報を、SIPプロトコルのnotifyコマンド（通知コマンド）に含めて送信する。一方、電話制御装置２に接続される他のＩＰ電話装置に対しては、その着信中の着信ランプを他者使用表示するために必要な着信情報を、SIPプロトコルのnotifyコマンドに含めて送信する。
【００３６】
前記着信応答要求を行った当該ＩＰ電話装置３では、このnotifyコマンドに含まれる着信ランプ自己使用表示指令情報を受信すると、さらにこのnotifyコマンドに含まれている着番号をもとに自身の該当着信ランプ３５Ｂを割り出し、その着信ランプ３５Ｂを着信表示から自己使用表示に切り替える。また、上記当該ＩＰ電話装置３以外の他のＩＰ電話装置は、notifyコマンドに含まれる着信情報を受信すると、このnotifyコマンドに含まれている情報をもとに自身の該当着信ランプ３５Ｂを割り出しその着信ランプ３５Ｂを着信表示から他者使用表示に切り替え、一定時間のタイマを起動する。そして、そのタイマのタイムアップ後にその着信ランプ３５Ｂの他者使用表示を消去する。なお、上記当該ＩＰ電話装置３以外の他のＩＰ電話装置におけるこうした着信ランプ３５Ｂの一定時間の他者使用表示中に、上記他のＩＰ電話装置が新たな着信により当該着信ランプ３５Ｂを着信表示させる事態が発生した場合は、上記他のＩＰ電話装置の制御部３１は当該着信ランプ３５Ｂの他者使用表示を着信表示に切り替える。
【００３７】
このように、ＩＰ回線は論理回線であることから、着信時には前述したように記憶部３２に設定されている個別設定情報３２Ｂと合致するINVITEメッセージの情報を受信した当該ＩＰ電話装置３の着信ランプ３５Ｂのみを着信表示させるように構成するとともに、ＩＰ電話装置３の着信応答時には、着信応答要求を行った当該ＩＰ電話装置３に対してはそのＩＰ電話装置３からの着番号と着信ランプ自己使用表示指令情報を返送して、当該ＩＰ電話装置３側で自動的に該当の着信ランプを着信表示から自己使用表示に切り替えさせるように構成したものである。
【００３８】
また、本実施の形態では、さらに、電話制御装置２が当該ＩＰ電話装置３以外の他のＩＰ電話装置に対して、着信中の着信ランプを他者使用表示するために必要な着信情報をSIPプロトコルのnotifyコマンドに含めて送信するようにして、これら他のＩＰ電話装置の該当の着信ランプを一定時間他者使用表示にし、これら他のＩＰ電話装置の利用者に対し、当該ＩＰ電話装置３の利用者が着信に応答したことを識別させるように構成したものである。
【図面の簡単な説明】
【００３９】
【図１】本発明のＩＰ電話装置を適用したシステムの構成を示すブロック図である。
【図２】上記ＩＰ電話装置の構成を示すブロック図である。
【図３】上記ＩＰ電話装置の正面の外観を示す図である。
【図４】上記ＩＰ電話装置の個別設定情報の一例を示す図である。
【図５】上記ＩＰ電話装置の第１の動作を示すフローチャートである。
【図６】上記ＩＰ電話装置の第２の動作を示すフローチャートである。
【符号の説明】
【００４０】
１…ＩＰ網、２…電話制御装置、３…ＩＰ電話装置、３１…制御部、３１Ａ…メッセージ解析部、３２…記憶部、３２Ａ…プログラム、３２Ｂ…個別設定情報、３３…通信Ｉ／Ｆ部、３４…音声処理部、３５…表示部、３５Ａ…液晶表示器、３５Ｂ…着信ランプ、３５Ｃ…内線ランプ、３６…操作部、３６Ａ…着信キー。
【図１】
2006333307.tif 000003
【図２】
2006333307.tif 000004
【図３】
2006333307.tif 000005
【図４】
2006333307.tif 000006
【図５】
2006333307.tif 000007
【図６】
2006333307.tif 000008